(57)【要約】【課題】１台以上の放射線撮影装置を備える放射線撮影システムにおいて効率的に放射線撮影装置を使用するのに有利な技術を提供する。【解決手段】放射線画像を取得するための１台以上の放射線撮影装置と、１台以上の放射線撮影装置を操作するための複数の制御端末と、を含む放射線撮影システムであって、放射線撮影システムは、複数の制御端末のそれぞれから送信された１台以上の放射線撮影装置の使用を希望する日時を含む照会情報と、１台以上の放射線撮影装置の使用が予約された日時を含む予約情報と、に基づいて、１台以上の放射線撮影装置の予約状況を管理する予約管理部をさらに含む。【選択図】図１
2019191660.tif 000002
【特許請求の範囲】
【請求項１】
放射線画像を取得するための１台以上の放射線撮影装置と、前記１台以上の放射線撮影装置を操作するための複数の制御端末と、を含む放射線撮影システムであって、
前記放射線撮影システムは、前記複数の制御端末のそれぞれから送信された前記１台以上の放射線撮影装置の使用を希望する日時を含む照会情報と、前記１台以上の放射線撮影装置の使用が予約された日時を含む予約情報と、に基づいて、前記１台以上の放射線撮影装置の予約状況を管理する予約管理部をさらに含むことを特徴とする放射線撮影システム。
【請求項２】
前記複数の制御端末のそれぞれは、ユーザの操作に従って、前記照会情報を前記予約管理部に送信し、
前記予約管理部は、前記１台以上の放射線撮影装置のそれぞれの使用が予約された日時を含む予約情報に基づいて、前記１台以上の放射線撮影装置のうち前記照会情報に適合する放射線撮影装置があるか否かを判定し、判定結果を前記複数の制御端末のうち少なくとも前記照会情報を送信した制御端末に出力することを特徴とする請求項１に記載の放射線撮影システム。
【請求項３】
前記判定結果は、前記１台以上の放射線撮影装置のうち前記照会情報に適合する放射線撮影装置の情報を含み、
前記複数の制御端末のうち前記照会情報を送信した制御端末は、前記照会情報に適合する放射線撮影装置の情報を表示することを特徴とする請求項２に記載の放射線撮影システム。
【請求項４】
前記予約管理部は、前記１台以上の放射線撮影装置のそれぞれの状態を示す装置状態情報を取得し、
前記１台以上の放射線撮影装置のうち２つ以上の放射線撮影装置が前記照会情報に適合する場合、前記予約管理部は、前記装置状態情報および前記照会情報に基づいて、前記２つ以上の放射線撮影装置の前記照会情報に対する適合度を決定し、
前記複数の制御端末のうち前記照会情報を送信した制御端末は、前記適合度に従って前記２つ以上の放射線撮影装置を表示することを特徴とする請求項２または３に記載の放射線撮影システム。
【請求項５】
前記装置状態情報が、前記１台以上の放射線撮影装置それぞれの、使用する電源、撮影領域のサイズ、実施可能な通信モード、実施可能な撮影モード、使用履歴、使用頻度、校正情報、内蔵電源の充電状態、内部記憶容量の残量、および、位置情報のうち少なくとも１つを含むことを特徴とする請求項４に記載の放射線撮影システム。
【請求項６】
前記照会情報が、撮影される領域の大きさ、撮影枚数、前記１台以上の放射線撮影装置のうち放射線画像の撮影に必要な放射線撮影装置の台数、および、撮影モードのうち少なくとも１つをさらに含むことを特徴とする請求項２乃至５の何れか１項に記載の放射線撮影システム。
【請求項７】
前記撮影モードが、動画像の撮影、静止画像の撮影、前記放射線撮影装置に放射線を照射するための放射線発生部との同期の有無のうち少なくとも１つを含むことを特徴とする請求項６に記載の放射線撮影システム。
【請求項８】
前記予約管理部は、前記１台以上の放射線撮影装置のうち前記照会情報に適合しない放射線撮影装置を前記複数の制御端末に表示させないことを特徴とする請求項２乃至７の何れか１項に記載の放射線撮影システム。
【請求項９】
前記予約管理部は、前記１台以上の放射線撮影装置のうち前記照会情報に適合する放射線撮影装置が存在しない場合、前記複数の制御端末のうち前記照会情報を送信した制御端末に予約ができない旨を表示させることを特徴とする請求項２乃至８の何れか１項に記載の放射線撮影システム。
【請求項１０】
前記照会情報は、ユーザが前記複数の制御端末のそれぞれを操作する際に登録するユーザ情報を含み、
前記予約管理部は、前記複数の制御端末のうち前記ユーザ情報と一致するユーザ情報が登録された制御端末に対して、前記１台以上の放射線撮影装置のうち予約された放射線撮影装置の操作を予約された日時に許可することを特徴とする請求項２乃至９の何れか１項に記載の放射線撮影システム。
【請求項１１】
前記予約管理部は、前記複数の制御端末のうち前記ユーザ情報と一致するユーザ情報が登録された制御端末に、予約の時間であること、または、予約の時間が近づいていることを報知させることを特徴とする請求項１０に記載の放射線撮影システム。
【請求項１２】
前記予約管理部は、前記１台以上の放射線撮影装置のうち第１の放射線撮影装置が異なるユーザによって連続して予約されている場合、前記複数の制御端末のうち先の予約の前記ユーザ情報と一致するユーザ情報が登録された制御端末に、次の予約があること、または、次の予約の時間が近づいていることを報知させることを特徴とする請求項１０または１１に記載の放射線撮影システム。
【請求項１３】
前記複数の制御端末のそれぞれが、前記予約管理部の機能を備え、
前記１台以上の放射線撮影装置のそれぞれは、それぞれの放射線撮影装置の前記予約情報が記憶されたメモリを含むことを特徴とする請求項１乃至１２の何れか１項に記載の放射線撮影システム。
【発明の詳細な説明】
【技術分野】
【０００１】
本発明は、放射線撮影システムに関する。
【背景技術】
【０００２】
医療画像診断などにおいて、放射線画像を生成するための撮影部にフラットパネルディテクタ（ＦＰＤ）を用いた放射線撮影装置が広く使用されている。特許文献１には、複数のＦＰＤと複数の制御端末とを接続させた放射線画像システムにおいて、ＦＰＤが撮影予約を受けた際に、予約された撮影が完了するまで、撮影予約を受けたＦＰＤに対する新たな撮影予約を禁止することが示されている。撮影予約を受けたＦＰＤに対する新たな撮影予約を禁止することによって、１つのＦＰＤに複数の制御端末（ユーザ）からそれぞれ撮影予約されることによって生じうる患者と放射線画像との対応付けを取り違える問題が抑制できる。また、特許文献２には、複数の放射線画像撮影装置を備える放射線画像撮影読取システムにおいて、受付入力装置が患者に対して適切な放射線画像撮影装置を指示することによって、効率よく複数の放射線撮影装置を使用することが示されている。
【先行技術文献】
【特許文献】
【０００３】
【特許文献１】特開２００８−１６７８４１号公報
【特許文献２】特開２０００−２１４５５２号公報
【発明の概要】
【発明が解決しようとする課題】
【０００４】
放射線画像の撮影において、ユーザや患者の予定に合わせて予め撮影を行う日時などが決まっている場合がある。しかしながら、所望の放射線撮影装置を使用したいときに、他のユーザが所望の放射線撮影装置を持ち出している可能性がある。特許文献１、２に示されるシステムは、今現在において使用できる放射線撮影装置を選択することは可能であるが、撮影が予定されている日時の放射線撮影装置の使用状況は考慮されていない。
【０００５】
本発明は、１台以上の放射線撮影装置を備える放射線撮影システムにおいて効率的に放射線撮影装置を使用するのに有利な技術を提供することを目的とする。
【課題を解決するための手段】
【０００６】
上記課題に鑑みて、本発明の実施形態に係る放射線撮影システムは、放射線画像を取得するための１台以上の放射線撮影装置と、１台以上の放射線撮影装置を操作するための複数の制御端末と、を含む放射線撮影システムであって、放射線撮影システムは、複数の制御端末のそれぞれから送信された１台以上の放射線撮影装置の使用を希望する日時を含む照会情報と、１台以上の放射線撮影装置の使用が予約された日時を含む予約情報と、に基づいて、１台以上の放射線撮影装置の予約状況を管理する予約管理部をさらに含むことを特徴とする。
【発明の効果】
【０００７】
上記手段によって、１台以上の放射線撮影装置を備える放射線撮影システムにおいて効率的に放射線撮影装置を使用するのに有利な技術を提供する。
【図面の簡単な説明】
【０００８】
【図１】本発明の実施形態に係る放射線撮影システムの構成例を示す図。
【図２】図１の放射線撮影システムの制御端末の操作フロー図。
【図３】図１の放射線撮影システムの予約管理システムの入力画面の一例を示す図。
【図４】図１の放射線撮影システムの予約管理システムのリスト作成フロー図。
【図５】図１の放射線撮影システムの予約管理システムのリスト表示の一例を示す図。
【図６】本発明の実施形態に係る放射線撮影システムの構成例を示す図。
【図７】図６の放射線撮影システムの予約管理ツールのリスト作成フロー図。
【発明を実施するための形態】
【０００９】
以下、本発明に係る放射線撮影システムの具体的な実施形態を、添付図面を参照して説明する。以下の説明及び図面において、複数の図面に渡って共通の構成については共通の符号を付している。そのため、複数の図面を相互に参照して共通する構成を説明し、共通の符号を付した構成については適宜説明を省略する。また、本発明における放射線には、放射線崩壊によって放出される粒子（光子を含む）の作るビームであるα線、β線、γ線などの他に、同程度以上のエネルギを有するビーム、例えばＸ線や粒子線、宇宙線なども含みうる。
【００１０】
第１の実施形態
図１〜５を参照して、本発明の実施形態による放射線撮影システム１００の構成について説明する。図１は、本発明の第１の実施形態における放射線撮影システム１００の構成例を示す図である。放射線撮影システム１００は、放射線制御ユニット１１１と管球１２１とを含む放射線発生部１０１、１台以上の放射線撮影装置１１２の例として複数の放射線撮影装置１１２を含む放射線撮影部１０２、複数の制御端末１１３を含む制御端末部１０３を含む。さらに、放射線撮影システム１００は、放射線情報システム（Ｒａｄｉｏｌｏｇｙ  Ｉｎｆｏｒｍａｔｉｏｎ  Ｓｙｓｔｅｍｓ：ＲＩＳ）１０５、画像保存通信システム（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ：ＰＡＣＳ）１０６、ストレージサーバ１０７、検像ワークステーション（ＷＳ）１０８、予約管理システム１０９を含む。これらの放射線撮影システム１００の各構成は、通信経路１０４を介して互いに接続される。通信経路１０４は、院内ネットワークに限られることはなく、ＲＩＳ１０５、ＰＡＣＳ１０６が、外部のクラウドサービスなどに接続されていてもよい。また、図１の構成において、１つの放射線発生部１０１が配されるが、複数の放射線発生部１０１が配されていてもよい。また、図１に示される構成において、放射線撮影部１０２は、放射線撮影装置１１２−１〜１１２−ｍの複数の放射線撮影装置１１２を備えるが、放射線撮影装置１１２を１台のみ備える構成であってもよい。
【００１１】
ユーザ（医師や放射線技師など）が放射線撮影装置１１２を操作するための制御端末１１３のそれぞれは、複数の放射線撮影装置１１２のそれぞれと接続し連携することが可能である。放射線撮影装置１１２と制御端末１１３との接続は、例えばＩＥＥＥ８０２．１１規格の無線ＬＡＮ通信によって確立されてもよい。無線ＬＡＮ通信は、通信経路１０４に接続する図示しない無線ＬＡＮアクセスポイント、または、放射線撮影装置１１２または制御端末１１３の何れかがアクセスポイントとしての動作を行い通信するいわゆるインフラストラクチャモードの通信でもよい。また、無線ＬＡＮ通信は、放射線撮影装置１１２と制御端末１１３とが、直接、通信を行うアドホックモードによる通信でもよい。また、放射線撮影装置１１２と制御端末１１３との接続は、無線に限定せず、Ｅｔｈｅｒｎｅｔ（登録商標）などの有線通信であってもよい。
【００１２】
制御端末１１３には、接続可能な放射線撮影装置１１２の状態（例えば、省電力待機中であるか否か、撮影準備完了済であるか否かなど）が表示されうる。また、ユーザによる制御端末１１３からの操作によって、連携中の放射線撮影装置１１２を制御することができる。放射線撮影装置１１２に放射線を照射することによって得られる放射線画像は、連携する制御端末１１３に転送、表示することで、ユーザが撮影後に放射線画像を確認することが可能となっていてもよい。また、制御端末１１３は、ＲＩＳ１０５から受信した撮影オーダ情報を、撮影後に放射線画像と関連付けしてもよい。さらに、制御端末１１３は、撮影オーダ情報と関連付けられた放射線画像を、放射線画像を保存するストレージサーバ１０７や、画像処理などを実施し診断に供する最終画像を生成するための検像ＷＳ１０８に通信経路１０４を介して出力してもよい。制御端末１１３は、放射線撮影室に設置されたデスクトップＰＣのような据置型の端末でもよいし、回診車に内蔵された組込み型の端末でもよい。さらに、制御端末１１３は、ユーザが各自で所有するタブレットＰＣやスマートフォンのような携帯型の端末でもよい。特に、制御端末１１３が携帯型端末の場合、持ち運びが容易であり、フィルムやコンピュータ放射線撮影（ＣＲ）に用いていた放射線発生部１０１をそのまま流用してデジタルラジオグラフィ（ＤＲ）へアップグレードすれば初期投資を抑制できる。また、携帯型の制御端末１１３は、持ち運びが容易な携帯型の放射線発生部１０１と組み合わせることによって災害現場の救急医療に活用できるなどの点で有用である。
【００１３】
予約管理システム１０９は、複数の放射線撮影装置のそれぞれの予約状況を管理するための予約管理部として機能する。予約管理システム１０９には、複数の放射線撮影装置１１２−１〜１１２−ｍが登録されている。予約管理システム１０９は、登録されている放射線撮影装置１１２−１〜１１２−ｍに対し、それぞれ放射線撮影装置１１２の予約情報を格納するメモリ１１９を持つ。また、予約管理システム１０９のメモリ１１９には、ユーザが複数の制御端末１１３のそれぞれを操作する際に登録する、ユーザを識別するためのユーザ情報が登録されている。ユーザ情報が登録されているユーザが、制御端末１１３の何れかを用いて予約管理システム１０９へ接続し、ユーザが１台以上の放射線撮影装置１１２−１〜１１２−ｍの何れかの使用を希望する日時を含む照会情報を予約管理システム１０９に送信する。この照会情報には、ユーザが放射線画像の取得を希望する日時が含まれてもよい。また、放射線撮影装置１１２−１〜１１２−ｍの何れかの使用を希望する日時は、放射線撮影装置１１２−１〜１１２−ｍの何れかの使用の開始の日時と放射線撮影装置１１２−１〜１１２−ｍの何れかの使用の終了の日時とを含みうる。また、放射線画像の取得を希望する日時は、放射線画像の取得の開始の日時と放射線画像の取得の終了の日時とを含みうる。予約管理システム１０９は、複数の放射線撮影装置のそれぞれの使用が予約された日時を含む予約情報に基づいて、複数の放射線撮影装置１１２−１〜１１２−ｍのうち照会情報に適合する放射線撮影装置１１２があるか否かを判定する。この放射線撮影装置１１２−１〜１１２−ｍの何れかの使用が予約された日時は、放射線撮影装置１１２−１〜１１２−ｍの何れかの使用の開始の日時と放射線撮影装置１１２−１〜１１２−ｍの何れかの使用の終了の日時とを含みうる。照会情報に適合する放射線撮影装置１１２がある場合、希望する日時の放射線撮影装置１１２の予約を予約情報に追加する。予約管理システム１０９は、予約された日時の放射線撮影装置１１２に対して、他のユーザの予約を受け付けない。ユーザは、予約に従って、制御端末１１３から放射線撮影装置１１２の連携を行い、放射線撮影装置１１２の制御を行う。
【００１４】
ここで、予約情報やユーザ情報と、放射線撮影装置１１２と制御端末１１３との間の連携動作とを関連付けると、ユーザが、間違えて予約内容と違う放射線撮影装置１１２と制御端末１１３との間で連携を行うことを防ぐことができる。例えば、ユーザが放射線撮影装置１１２の予約を行う際の照会情報にユーザ情報を含ませることによって、予約情報にユーザ情報を追加する。放射線撮影装置１１２は、制御端末１１３からの連携要求を受信すると、予約管理システム１０９へ制御端末１１３のユーザ情報とその時点の放射線撮影装置１１２との予約情報とを照合する。予約管理システム１０９は、複数の制御端末１１３のうち予約情報のユーザ情報と一致するユーザ情報が登録された制御端末１１３に対して、複数の放射線撮影装置１１２−１〜１１２−ｍのうち予約された放射線撮影装置１１２の操作（連携）を予約された日時に許可する。一方、他のユーザが、連携要求を受信した放射線撮影装置１１２を予約している場合、予約管理システム１０９は、連携要求を送信した制御端末１１３と連携要求を受信した放射線撮影装置１１２との連携（操作）を拒否する。これによって、予約を行っているユーザ以外が、予約されている放射線撮影装置１１２を使用することができない。また、連携要求を受信した時間に放射線撮影装置１１２に予約情報がない場合、予約管理システムは、制御端末１１３へ放射線撮影装置１１２に対する操作（連携）の許可を与えてもよい。また、ここでは、ユーザ情報と、放射線撮影装置１１２と制御端末１１３との間の連携動作とを関連付けることを説明したが、これに限られることはない。例えば、予約情報に患者情報（例えば、病院などの施設内で識別のために設定したＩＤ番号など。）に追加し、放射線画像を撮影するために放射線室に入室した患者の患者情報と、放射線撮影装置１１２と制御端末１１３との間の連携動作と、を関連付けてもよい。
【００１５】
また、予約管理システム１０９は、複数の制御端末１１３−１〜１１３−ｎのうち予約情報のユーザ情報と一致するユーザ情報が登録された制御端末１１３に、予約の時間であること、または、予約の時間が近づいていることを報知させてもよい。予約管理システム１０９は、制御端末１１３と放射線撮影装置１１２とが連携中に、別のユーザの予約時間になった場合、制御端末１１３に別のユーザが使用予約をしている旨の報知をさせてもよい。例えば、予約管理システム１０９は、複数の放射線撮影装置１１２−１〜１１２−ｍのうち１つの放射線撮影装置１１２が異なるユーザによって連続して予約されている場合を考える。この場合、複数の制御端末１１３のうち先の予約の予約情報のユーザ情報と一致するユーザ情報が登録された制御端末１１３に、次の予約があること、または、次の予約の時間が近づいていることを報知させてもよい。このような報知によって、ユーザは、別のユーザによる予約がなされていることを知ることができる。
【００１６】
次に、図２を用いて制御端末１１３を用いて予約管理システム１０９によって放射線撮影装置１１２の使用予約を行う流れの一例を説明する。まず、ステップＳ２０１でユーザは、制御端末１１３を使用して、ユーザＩＤおよびパスワードを入力し、予約管理システム１０９にログインする。なお、ログインは、予約管理システム１０９が予約を行っているユーザを特定するために行う。ユーザＩＤおよびパスワードの入力の手間を省くため、制御端末１１３に保存されたユーザを特定するためのログイン情報を用いて、予約管理システム１０９にログインしてもよい。図３は、予約管理システム１０９にログインし、予約画面に遷移したときの制御端末１１３の予約画面の一例である。オーダ番号、ユーザが放射線画像の取得を希望する使用予定日時および使用場所など、ユーザが放射線撮影装置１１２の予約を行う際の照会情報を入力可能である。ステップＳ２０２において、ユーザは、オーダ番号と使用予定日時、使用場所などの照会情報を入力する。なお、オーダ番号、使用予定日時、使用場所の入力は、形式を問わない。例えば、文字列を直接入力する方法であってもよいし、グラフィカルに表示されたアイコンを選択する方式であってもよい。
【００１７】
予約画面では、他のユーザを含めたそれぞれの放射線撮影装置１１２の予約情報の確認や、優先度設定も実施可能である。予約情報確認ボタンをユーザが押下することによって、それぞれの放射線撮影装置１１２の予約状況を確認する画面に遷移し、予約の確認やキャンセルが実施できる。また、優先度設定ボタンをユーザが押下することによって、優先度設定画面に遷移し、ユーザは、後述する任意の優先度を設定可能である。なお、図３の構成では予約の実施、予約情報の確認、優先度の設定を１つの予約画面上に表示させているが、画面の表示方法はこれに限らず、各ボタンの表示画面を分割してもよい。次いで、ユーザが予約ボタンを押下することで、ステップＳ２０３に進む。ステップＳ２０３では、予約管理システム１０９が、放射線撮影装置１１２−１〜１１２−ｍを、ユーザがステップＳ２０２入力した照会情報やユーザが指定した優先度設定に基づいたリストを作成するリスト化処理を行う。ステップＳ２０３において、予約管理システム１０９は、複数の放射線撮影装置１１２−１〜１１２−ｍのそれぞれの使用が予約された日時を含む予約情報に基づいて、複数の放射線撮影装置のうちユーザが入力した照会情報に適合する放射線撮影装置１１２があるか否かを判定する。判定結果は、複数の放射線撮影装置１１２−１〜１１２−ｍのうち照会情報に適合する放射線撮影装置１１２の情報を含む。複数の制御端末１１３−１〜１１３−ｎのうち照会情報を送信した制御端末１１３は、判定結果に基づいて、照会情報に適合する放射線撮影装置の情報を表示する。次いでステップＳ２０４で、ユーザは、制御端末１１３に表示されたリストの中から任意の放射線撮影装置１１２を選択し予約する。ステップＳ２０３でのリスト化処理によって、ユーザに適した放射線撮影装置１１２が順番に表示されるため、ユーザが放射線撮影装置１１２を選択する際の煩雑さが解消される。
【００１８】
図４は、ステップＳ２０３に示す予約管理システム１０９が実施するリスト化処理の流れの一例である。予約管理システム１０９は、複数の放射線撮影装置１１２−１〜１１２−ｍのうち１つの放射線撮影装置１１２が照会情報に適合すると判定した場合、この判定結果を複数の制御端末１１３のうち少なくとも照会情報を送信した制御端末１１３に出力する。一方、複数の放射線撮影装置１１２−１〜１１２−ｍのうち２つ以上の放射線撮影装置１１２が照会情報に適合する場合、予約管理システム１０９は、後述する装置状態情報および照会情報に基づいて、２つ以上の放射線撮影装置の照会情報に対する適合度を決定する。複数の制御端末１１３のうち照会情報を送信した制御端末１１３は、適合度に従って２つ以上の放射線撮影装置をリスト表示する。
【００１９】
具体的には、まず、ステップＳ４０１において、予約管理システム１０９は、ユーザによって入力された照会情報を読み取る。予約管理システム１０９は、ユーザによって入力されたオーダ番号を基にＲＩＳ１０５から、追加の照会情報を読み取ってもよい。このときの照会情報は、患者情報、撮影手技、撮影枚数などのうち少なくとも１つの情報を含む。次いで、予約管理システム１０９は、ステップＳ４０２においてステップＳ４０１で読み出した撮影手技の情報から撮影される領域の大きさや放射線撮影装置１１２の必要台数を算出する。放射線撮影装置１１２の必要台数は、例えば、一般撮影であれば１台、長尺撮影を実施する場合は２台以上の放射線撮影装置１１２が必要と算出される。また、撮影手技の情報から、予約管理システム１０９は、撮影モードが、動画像の撮影であるか静止画像の撮影であるかを読み取る。つまり、照会情報は、ユーザが放射線画像の取得を希望する日時のほかに、撮影される領域の大きさ、撮影枚数、放射線画像の撮影に必要な放射線撮影装置１１２の台数、および、撮影モードのうち少なくとも１つを含む。
【００２０】
次いで、ステップＳ４０３において、予約管理システム１０９は、ユーザが予約を希望する日時に予約されていない放射線撮影装置１１２を抽出する。
【００２１】
次いで、予約管理システム１０９は、ステップＳ４０４で抽出された放射線撮影装置１１２のそれぞれの状態を示す装置状態情報を取得する。装置状態情報は、それぞれの放射線撮影装置１１２の仕様の情報を含みうる。放射線撮影装置１１２の仕様の情報は、例えば、放射線撮影装置１１２の名称、使用する電源、撮影領域のサイズ、実施可能な通信モード、実施可能な撮影モードなどの情報のうち少なくとも１つを含む。
【００２２】
放射線撮影装置１１２の名称は、それぞれの放射線撮影装置１１２が持つシリアル番号などを表示してもよい。また、放射線撮影装置１１２の名称は、個別の識別ＩＤでユーザが放射線撮影システム１００を使用する病院などの施設内で識別のために設定した名称などを表示してもよい。
【００２３】
撮影領域のサイズを示す情報は、撮影する患者の体格や撮影手技に合わせて適切な大きさの放射線撮影装置１１２を選択するために必要である。例えば、撮影領域のサイズを示す情報は、放射線撮影装置１１２の放射線画像を撮影可能な画素領域の大きさなどの情報でありうる。
【００２４】
放射線撮影システム１００には、ケーブルによる有線通信や無線での通信など複数の通信モードを備えている放射線撮影装置１１２や、有線または無線の何れかの通信モードのみを備える放射線撮影装置１１２などが混在しうる。さらに、それぞれの放射線撮影装置１１２によって通信速度が異なる場合がある。このため、これらの情報が、実施可能な通信モードの情報として制御端末１１３に表示されてもよい。
【００２５】
また、放射線撮影システム１００には、動画像を撮影する撮影モードと静止画像を撮影する撮影モードとの両方の撮影が可能な放射線撮影装置１１２や静止画像の撮影のみが可能な放射線撮影装置１１２などが混在しうる。また、放射線撮影システム１００には、放射線発生部１０１と通信を行い同期して撮影する放射線撮影装置１１２や、放射線発生部１０１と同期せずに放射線の照射開始を放射線撮影装置１１２自身が検知して撮影する放射線撮影装置１１２が混在しうる。このため、実施可能な撮影モードの情報として、動画像の撮影や静止画像の撮影ができるか否かや、放射線発生部１０１との同期の有無などの情報が、制御端末１１３に表示されてもよい。
【００２６】
さらに、装置状態情報は、それぞれの放射線撮影装置１１２の仕様の情報のほか、それぞれの放射線撮影装置１１２の、現在やユーザが撮影を希望する日時において予想される状態を表す情報を含む。この状態を表す情報は、例えば、放射線撮影装置１１２に搭載されている内蔵電源の充電状態、内部記憶容量の残量、エラー情報、故障情報、使用履歴、校正情報、使用頻度、使用場所などの位置情報などを含む。
【００２７】
複数の放射線撮影装置１１２−１〜１１２−ｍは、外部からの給電によって動作するだけでなく、搭載している内蔵電源からの給電によって動作できる放射線撮影装置１１２を含みうる。内蔵電源は、リチウムイオン電池に代表される二次電池やリチウムイオンキャパシタなどの蓄電素子が用いられることが多いが、外部給電を受けずに動作可能なものであればこれに限られない。また、内蔵電源は、取り外し可能な形態であってもよいし、取り外しのできない内蔵型であってもよい。内蔵電源の充電状態は、充電量を割合で示してもよいし、使用可能な時間や撮影可能な枚数で示してもよい。
【００２８】
放射線撮影装置１１２は撮影画像を失わずに内部に画像データを保持するための大容量の不揮発性メモリなどの内部記憶容量を備えうる。また、放射線撮影装置１１２は、制御端末１１３へ撮影ごとに画像データを送信せずに、この内部記憶容量に撮り貯め、後でまとめて制御端末１１３へ画像データを送信するような撮影モードを備える場合もある。この内部記憶容量は、例えば、ＮＯＲフラッシュメモリやＮＡＮＤフラッシュメモリ、ＳＤカードなどで実現される。この現在の内部記憶容量の残量を装置状態情報として表示してもよい。
【００２９】
エラー情報や故障情報は、放射線撮影装置１１２の内部の状態に関し、撮影に使用できるか、動作に制限があるかなどの情報を示す。一時的なエラーや故障によって使用できないのであれば、例えば、後述する制御端末１１３での表示時において、リスト上に非表示にすることによって、別の放射線撮影装置１１２の選択をユーザに促すことができる。
【００３０】
使用履歴や使用頻度の情報として、放射線撮影装置１１２が、過去にどのような撮影に使用されたかや、どの制御端末１１３から使用されたか、または、予約において連携する制御端末１１３での使用履歴や使用頻度などを表示してもよい。また、例えば、放射線撮影装置１１２が、放射線撮影システム１００の全体としてどの程度、使用されているのかを表示してもよい。
【００３１】
校正情報として、放射線撮影装置１１２の例えば１年単位などで実施しなければならない定期的な校正が校正期限内に実施されているか、もしくは、現在実施中かの情報が示されてもよい。校正期限が過ぎている放射線撮影装置１１２や校正を実施中の放射線撮影装置１１２は、後述する制御端末１１３での表示時において、リスト上に非表示にすることによって、別の放射線撮影装置１１２の選択をユーザに促すことができる。
【００３２】
放射線撮影装置１１２の使用場所などの位置情報は、例えば、制御端末１１３と放射線撮影装置１１２との位置関係や、撮影を実施する場所と放射線撮影装置１１２との位置関係などを含む。位置情報は、制御端末１１３および放射線撮影装置１１２の少なくとも一方に備えられたＧＰＳ（Ｇｌｏｂａｌ  Ｐｏｓｉｔｉｏｎｉｎｇ  Ｓｙｓｔｅｍ）受信部などによって位置関係を算出して表示してもよい。また、設置位置が固定された制御端末１１３や放射線撮影装置１１２を収容するクレードルと通信していることをもって位置情報としてもよい。
【００３３】
次いでステップＳ４０５において、予約管理システム１０９は、ステップＳ４０３で抽出された放射線撮影装置１１２が搭載された内蔵電源からの給電によって動作するか否かを判定する。ステップＳ４０５で内蔵電源からの給電によって動作すると判定された場合、予約管理システム１０９は、内蔵電源からの給電によって動作する放射線撮影装置１１２に対して、ステップＳ４０６〜Ｓ４０８までの動作を行う。ステップＳ４０５で内蔵電源からの給電によって放射線撮影装置１１２が動作しないと判定された場合はＳ４０９に移行する。予約管理システム１０９は、ステップＳ４０６において、内蔵電源からの給電によって動作すると判定した放射線撮影装置１１２の充電状態、予約情報から推定されるユーザが希望する日時での推定される残充電量を算出する。予約管理システム１０９は、例えば、現在の充電状態から、ユーザが入力した希望時間までに予約情報に登録されている撮影枚数の合計から算出される消費電力量を減算し、残充電量を推定する。
【００３４】
次いでステップＳ４０７において、予約管理システム１０９は、ステップＳ４０１で抽出された撮影枚数から、放射線撮影装置１１２において必要な充電量を算出する。次いで、予約管理システム１０９は、ステップＳ４０８において、ステップＳ４０６で算出した推定される残充電量と、ステップＳ４０７で算出した必要な充電量と、を比較し、推定残充電量が必要充電量以上である放射線撮影装置１１２を抽出する。次いで、ステップＳ４０９において、予約管理システム１０９は、ステップＳ４０３で抽出された放射線撮影装置１１２から、ステップＳ４０８で抽出されなかった放射線撮影装置１１２を除いたものを全抽出撮影装置数とする。全抽出撮影装置数がステップＳ４０２に算出された必要台数以上である場合はステップＳ４１１に遷移し、全抽出撮影装置数が必要台数未満である場合はステップＳ４１０に遷移する。ステップＳ４１０において、予約管理システム１０９は、複数の放射線撮影装置１１２のうち照会情報に適合する放射線撮影装置１１２が存在しないため、照会情報を送信した制御端末１１３に予約ができない旨を表示させリスト化処理を終える。
【００３５】
ステップＳ４１１において、予約管理システム１０９は、装置状態情報および照会情報に基づいて、上述の各ステップにおいて抽出された放射線撮影装置１１２の照会情報に対する適合度を決定する。適合度は、例えば、撮影される領域の大きさと放射線撮影装置１１２の撮影領域のサイズがより近い場合、より適合度が高いと決定される。また例えば、適合度は、制御端末１１３と放射線撮影装置１１２とがより近い位置に配されている場合、より適合度が高いと決定される。ユーザの希望により適合している放射線撮影装置１１２が、より高い適合度であると決定されうる。照会情報を送信した制御端末１１３は、この適合度に従って２つ以上の放射線撮影装置をリスト化し一覧できる状態で表示する。リストの表示順は、予め所定の装置状態情報の適合度に基づき整列して表示される。例えば、ステップＳ４０１においてＲＩＳ１０５から受信した照会情報に応じて、予約管理システム１０９は、その撮影で指定された撮影部位や撮影手技に適した放射線撮影装置１１２を適合度が高いと決定し、上位に表示するようにしてもよい。また、ユーザが優先度設定を実施している場合は、優先度設定がされた順に表示されてもよい。例えば、優先度設定が未設定の場合、予約管理システム１０９は、放射線撮影装置１１２の撮影領域のサイズを優先して適合度を決定するが、ユーザが内蔵電源の充電状態を優先して適合度を決定するように設定した場合、ユーザの設定に従う。この場合、例えば、予約管理システム１０９は、ステップＳ４０６で算出された推定残充電量が多い放射線撮影装置１１２を適合度が高いと決定してもよい。
【００３６】
また、ステップＳ４０９からステップＳ４１０に遷移した場合、ステップＳ２０４において、放射線撮影装置１１２はリスト表示されない。換言すると、予約管理システム１０９は、複数の放射線撮影装置１１２−１〜１１２−ｍのうち照会情報に適合しない放射線撮影装置１１２を制御端末１１３に表示させない。また、このとき、予約管理システム１０９は、複数の制御端末１１３−１〜１１３−ｎのうち照会情報を送信した制御端末１１３に予約ができない旨を表示させてもよい。ユーザは、ステップＳ４１０で行われる通知をもって、予約時間の変更などを行う。また、ステップＳ４１０において、予約管理システム１０９は、ユーザが入力した照会情報に適合する放射線撮影装置１１２が予約されていない日時を、照会情報を送信した制御端末１１３に表示させてもよい。
【００３７】
図５は、制御端末１１３に表示されるリスト表示の一例を示す。図５は、ユーザが入力した照会情報から適した撮影領域のサイズが１７×１４インチ、必要充電量が４０％と算出され、優先度設定を撮影領域サイズおよび推定残充電量に設定した場合の表示例である。この例において、識別ＩＤ：ＦＰＤ−７が最も照会情報に適していると判断され、ＦＰＤ−７が最上位に表示されている。図５に示される構成において、リストには、識別ＩＤのほかに、放射線撮影装置１１２の撮影領域のサイズ、推定残充電量、位置情報として直前推定使用場所が表示されている。撮影領域のサイズは、ステップＳ４０４で抽出された放射線撮影装置１１２のサイズである。推定残充電量は、ステップＳ４０６で算出された放射線撮影装置１１２の推定される残充電量である。直前推定使用場所は、ユーザが入力した予約を希望する時間の直前に予約されている予約情報に登録された使用場所である。また、直前推定使用場所は、ユーザが予約の操作を行った時点から使用時まで予約がない場合、ステップＳ４０４で抽出された位置情報に基づいて表示されうる。直前の推定される使用場所を表示することによって、ユーザは、移動距離が少ない放射線撮影装置１１２を選択することが可能である。また、ＦＰＤ−３は内蔵電源を搭載しておらず、外部給電で動作するものであるため、推定残充電量が「−」と記載されている。予約管理システム１０９には、他にＦＰＤ−２とＦＰＤ−６とが登録されているが、ステップＳ４０８で算出された推定残充電量が４０％未満であるため、リスト上には表示されていない例を図５は示している。このリストの中からユーザは目的の放射線撮影装置１１２を１つまたは複数選択し予約を行う。
【００３８】
制御端末１１３に表示される情報は、上述の４種類に限られるものではない。制御端末１１３に表示される情報は、例えば、上述の放射線撮影装置１１２の実施可能な通信モード、実施可能な撮影モード、記憶容量残量、エラー情報、故障情報、使用履歴、校正情報、使用頻度のいずれか１つまたは複数を表示するものでもよい。
【００３９】
また、本実施形態では、表示リストの見やすさを重視し、予約管理システム１０９は、ステップＳ４０３、Ｓ４０８で抽出されなかった、つまり照会情報に適合しない放射線撮影装置１１２を、ステップＳ４１１において制御端末１１３に表示させない。しかし、これに限られることはなく、予約管理システム１０９は、照会情報に適合しない放射線撮影装置１１２をステップＳ４１１において表示させてもよい。これによって、例えば、内蔵電源で動作する放射線撮影装置１１２で、ステップＳ４０８にて抽出されなかった放射線撮影装置１１２を表示することで、ユーザが予約時間より前の予約が入っていない時間にこの放射線撮影装置１１２を充電できる。
【００４０】
また、本実施形態において、予約管理システム１０９は、ステップＳ４０４で放射線撮影装置１１２の装置状態情報を抽出する。この時点で、予約管理システム１０９は、撮影手技やステップＳ４０２で算出された撮影される領域の大きさに明らかに合致しない放射線撮影装置１１２をリストから除外する処理を行ってもよい。また、同様のタイミングで、予約管理システム１０９は、放射線撮影装置１１２の内部記憶容量の残量がＲＩＳ１０５から抽出された撮影枚数より少ない場合も、リストから除外する処理を行ってもよい。
【００４１】
また、本実施形態において、予約管理システム１０９は、ステップＳ４０６で残充電量の算出を行ったが、この際に、ユーザが入力した予約を希望する時間以降の予約情報に含まれる撮影枚数の合計をさらに減算してもよい。この減算結果に対し、残充電量が不足する場合は、ステップＳ４０８での抽出対象にならないため、先に予約された後の日時の予約での撮影ができなることを防ぐことができる。
【００４２】
また、本実施形態において、ステップＳ２０２で照会情報としてオーダ番号、撮影を希望する撮影日時、使用場所を入力したが、オーダ番号にはＲＩＳ１０５で登録された照会情報以外の特別な番号を入力もしくは未入力でもよい。例えば、放射線撮影装置１１２の校正を実施する場合、通常のオーダ番号とは異なる、校正に関連付けられた番号を予約管理システム１０９に登録しておく。ユーザがその番号をオーダ番号に入力し、撮影日時、使用場所を入力すれことによって、予約管理システム１０９は、ステップＳ２０３において、すべての放射線撮影装置１１２をリスト表示してもよい。また、この場合、予約管理システム１０９は、校正期限が近い放射線撮影装置１１２のみ表示させてもよい。
【００４３】
また、本実施形態では、放射線撮影装置１１２の予約は、ユーザＩＤを入力することによってユーザと関連付けられたが、制御端末１１３と関連付けられてもよい。この場合、予約管理システム１０９は、個々の制御端末１１３を区別するための情報をメモリ１１９に備え、ユーザ情報を有していなくてもよい。
【００４４】
また、本実施形態において、放射線撮影部１０２は複数の放射線撮影装置１１２−１〜１１２−ｍを備えるが、上述のように放射線撮影装置１１２は１台であってもよい。この場合、対象となる放射線撮影装置１１２は１台であるため、例えば、図４におけるステップＳ４０２は省略してもよい。また、例えば、ステップＳ２０４において、制御端末１１３は、リスト表示を行わず、照会情報に応じて、ユーザが希望する日時に放射線撮影装置１１２が使用できるか否かの表示をするだけでもよい。
【００４５】
例えば、ユーザが、３時間後に回診用途で指定サイズの電源内蔵の放射線撮影装置１１２を使用したい場合がある。しかしながら、別のユーザが所望の放射線撮影装置１１２を使用し、バッテリの残量が少なくなっているなど、他の放射線撮影装置１１２に切り替えないと撮影を実施しできないことが使用直前にわかる場合がある。また、予約したにもかかわらず、予約した放射線撮影装置１１２が使用場所から遠い場所で直前に使用されていた場合など、その場所まで放射線撮影装置１１２を取りに行くか、放射線撮影装置１１２の再選定が必要になる。このように、１台以上の放射線撮影装置を複数のユーザが使用する場合、放射線画像を撮影する効率が低下してしまう可能性がある。しかしながら、本実施形態に示されるように、１台以上の放射線撮影装置１１２−１〜１１２−ｍを備える放射線撮影システム１００において、効率的に放射線撮影装置１１２を使用することが可能となる。
【００４６】
第２の実施形態
図６、７を参照して、本発明の実施形態による放射線撮影システム１００’の構成について説明する。図６は、本発明の第２の実施形態における放射線撮影システム１００’の構成例を示す図である。放射線撮影システム１００’は、上述の第１の実施形態と比較して、複数の放射線撮影装置１１２のそれぞれの予約状況を管理するための予約管理部として機能する予約管理システム１０９を備えていない。予約管理システム１０９以外の放射線撮影システム１００の各構成は、上述の第１の実施形態と同様であってもよいため、ここでは説明を省略する。また、本実施形態においても、放射線撮影部１０２は、複数の放射線撮影装置１１２−１〜１１２−ｍを備えるとして説明するが、上述の第１の実施形態と同様に、放射線撮影部１０２が備える放射線撮影装置は１台であってもよい。
【００４７】
本実施形態において、複数の放射線撮影装置１１２−１〜１１２−ｍのそれぞれは、それぞれの放射線撮影装置１１２の予約された日時を含む予約情報が記憶されたメモリ１２３を含む。また、本実施形態において、複数の制御端末１１３−１〜１１３−ｎのそれぞれの制御端末１１３には、複数の放射線撮影装置１１２−１〜１１２−ｍのそれぞれの予約状況を管理するための予約管理部として機能する予約管理ツールがインストールされている。上述の第１の実施形態では、制御端末１１３から予約管理部として機能する予約管理システムにログインし放射線撮影装置１１２の予約が行われる。一方、本実施形態では、制御端末１１３上の予約管理部として機能する予約管理ツールによって、放射線撮影装置１１２の予約が行われる。また、ステップＳ２０３に示したリスト化処理も、制御端末１１３にインストールされた予約管理ツールによって実施される。
【００４８】
図２、３、７を用いて、本実施形態での放射線撮影装置１１２の予約の流れを説明する。なお、上述の第１の実施形態と同様の操作、処理を行う工程については、詳細な説明を省略する。まず、ステップＳ２０１において、ユーザが、制御端末１１３の予約管理ツールを起動させログインすると図３に示す予約画面が表示され、第１の実施形態と同様に予約を実施する。
【００４９】
図７は、図２のステップＳ２０３において、予約管理ツールが実施するリスト化処理の流れの一例である。ステップＳ７０１、Ｓ７０２は、図４に示すステップＳ４０１、Ｓ４０２とそれぞれ同様の処理である。ステップＳ７０３において、予約管理ツールは、それぞれの放射線撮影装置１１２の予約情報、装置状態情報を読み出す。次いで、ステップＳ７０４において、予約管理ツールは、ユーザによって入力された予約を希望する日時に予約がされていない放射線撮影装置１１２を抽出する。ステップＳ７０５〜Ｓ７１１は、それぞれ図４に示すステップＳ４０５〜Ｓ４１１と同様の処理である。
【００５０】
本実施形態によれば、予約管理システム１０９がない放射線撮影システム１００’においても、放射線撮影装置１１２と制御端末１１３との通信によって、放射線撮影装置１１２の予約が可能となる。本実施形態においても、上述の第１の実施形態と同様に、１台以上の放射線撮影装置１１２を含む放射線撮影システム１００において、効率的に放射線撮影装置１１２を使用することが可能となる。
【００５１】
以上、本発明に係る実施形態を示したが、本発明はこれらの実施形態に限定されないことはいうまでもなく、本発明の要旨を逸脱しない範囲で、上述した実施形態は適宜変更、組み合わせが可能である。
【符号の説明】
【００５２】
１００，１００’：放射線撮影システム、１１２：放射線撮影装置、１１３：制御端末
【図１】
2019191660.tif 000003
【図２】
2019191660.tif 000004
【図３】
2019191660.tif 000005
【図４】
2019191660.tif 000006
【図５】
2019191660.tif 000007
【図６】
2019191660.tif 000008
【図７】
2019191660.tif 000009